(57)【要約】【課題】  樹木が繁茂した地帯において、往来が困難な２本の柱間にケーブルを迅速かつ容易に介するケーブル敷設方法を提供すること。【解決手段】  ケーブルの敷設を行う方向に繁茂する樹木１５群について、ボウガンの矢２を通過させる樹木１５で覆われた通過空間１７を決定して、ボウガンの矢２を、２本の柱の一方１２の近傍から通過空間１７を介して２本の柱の他方側１３における所望の地点に向けて発射する工程と、ボウガンの矢２を回収し、２本の柱の上部１２，１３にボウガンの矢２に接続されている第１の紐状体５１を位置させ、２本の柱の上部１２ａ，１３ａ間に第１の紐状体５１を張る工程と、第１の紐状体５１よりも太い第２の紐状体５２を第１の紐状体５１に接続して、第１の紐状体５１をたぐり寄せることで、第２の紐状体５２をたぐり寄せて、これをＮ回繰り返すことにより、最終的に所望の太さのケーブルを２本の柱間に配する工程とを備える。【選択図】図２
2014200156.tif 000002
【特許請求の範囲】
【請求項１】
樹木が繁茂した地帯において、２本の柱の上部間にケーブルを介するケーブル敷設方法であって、
前記２本の柱の一方の近傍から、前記ケーブルの敷設を行う方向に繁茂する樹木群について、ボウガンの矢を通過させる、周囲の全部又は一部が樹木で覆われた通過空間を決定する第１の工程と、
前記ボウガンの矢に第１の紐状体の一端が接続され、かつ、他端が前記ボウガンの操作者側に固定された状態で前記ボウガンを操作し、前記ボウガンの矢を、前記通過空間を介して前記２本の柱の他方側における所望の地点に向けて発射する第２の工程と、
前記第１の紐状体の他端側を前記一方の柱の近傍に残した状態で、前記第２の工程において発射された前記ボウガンの矢を回収し、前記第１の紐状体の他端側を前記一方の柱の上部に位置させ、前記第１の紐状体の一端側を前記他方の柱の上部に位置させて、前記第１の紐状体を引っ張って、前記２本の柱の上部間に前記第１の紐状体を張る第３の工程と、
前記第１の紐状体の一端側又は他端側の何れかにおいて、当該第１の紐状体よりも太い第２の紐状体の一端を前記第１の紐状体に接続して、当該第１の紐状体をたぐり寄せることで、前記第２の紐状体をたぐり寄せて、前記２本の柱間に前記第２の紐状体を張る第４の工程と、
前記第２の紐状体に、前記第３の工程と同様に当該第２の紐状体よりも太い第３の紐状体を接続して、当該第３の紐状体をたぐり寄せて、前記２本の柱間に前記第３の紐状体を配し、これをＮ回繰り返すことにより、最終的に所望の太さのケーブルを前記２本の柱間に配する第５の工程とを
備えることを特徴とするケーブル敷設方法。
【請求項２】
前記第３の工程において、回収された前記ボウガンの矢に接続された前記第１の紐状体の一端は、前記２本の柱の他方側からボウガンによって発射された他の第１の紐状体の一端と接続されることを特徴とする請求項１に記載のケーブル敷設方法。
【請求項３】
前記第３の工程において、前記ボウガンの矢を回収して、当該回収地点から再度、当該ボウガンの矢を前記２本の柱の他方側における所望の地点に向けて発射することを特徴とする請求項１に記載のケーブル敷設方法。
【発明の詳細な説明】
【技術分野】
【０００１】
本発明は、樹木が繁茂した地帯において、往来が困難な２本の柱間にケーブルを迅速かつ容易に介するケーブル敷設方法に関する。
【背景技術】
【０００２】
電線や、各種通信用ケーブル（以下、ケーブルと総称）を樹木が生い茂った山間部等で敷設する場合、従来においては以下のような方法が採られていた。
【０００３】
即ち、山間部等の樹木が生い茂った地点でケーブルを敷設する場合、ケーブルが固定される２本の柱の間においては、ケーブルを敷設するために、作業者の往来を可能とするべく樹木等を伐採したうえで、作業者がケーブルを持って、２本の柱の間にケーブルを渡している。
【０００４】
尚、出願人は、上記従来技術に係る事実を知っているものの、これら先行技術は、文献公知発明に係るものではなく、先行技術文献情報としては不知である。
【発明の概要】
【発明が解決しようとする課題】
【０００５】
しかしながら、樹木を伐採できるような作業条件に合致することは少ないのが実情である。即ち、予算の都合や、私有地における作業であり、樹木の伐採に対して地権者による承諾が得られないことが多々ある。
【０００６】
そのような樹木を伐採できないような場合においては、作業者は樹木が生い茂った密林にケーブルを持って入ることとなるが、密林内においては、地形が平坦とも限らず、浮石によって思わず足を滑らせ、けがをしてしまう可能性や、スズメバチ、地蜂、マムシ、クマ等に遭遇する可能性もあり、非常に危険な作業となってしまう。
【０００７】
特に、樹木を伐採できないことから、ケーブルを空中に敷設するためには、樹木の枝葉が障害となり、ケーブルを地上から空中に持ち上げることができないことから、そのたびに作業者は木によじ登って、障害となる枝葉の上方にケーブルを通すという作業が必要であり、非常に多大な労力が必要となっており、実際に一日に１０ｍ程度しか前進できないような場合もあり、非常に多大な労力がかかっていた。
【０００８】
また、山間部においては、谷を横切るような形でケーブルを敷設することが多々あるが、この場合においても、作業者が実際にケーブルを持って、谷の反対側まで到達しなければ、ケーブルを敷設することができないことから、谷中に転落する可能性もあり、非常に危険な作業となっていた。
【０００９】
そこで、本発明は、上述の問題に鑑みてなされたものであり、樹木が繁茂した地帯において、往来が困難な２本の柱間にケーブルを迅速かつ容易に介するケーブル敷設方法を提供することを目的とする。
【課題を解決するための手段】
【００１０】
上記目標達成のため、本発明は、樹木が繁茂した地帯において、２本の柱の上部間にケーブルを介するケーブル敷設方法であって、前記２本の柱の一方の近傍から、前記ケーブルの敷設を行う方向に繁茂する樹木群について、ボウガンの矢を通過させる、周囲の全部又は一部が樹木で覆われた通過空間を決定する第１の工程と、前記ボウガンの矢に第１の紐状体の一端が接続され、かつ、他端が前記ボウガンの操作者側に固定された状態で前記ボウガンを操作し、前記ボウガンの矢を、前記通過空間を介して前記２本の柱の他方側における所望の地点に向けて発射する第２の工程と、前記第１の紐状体の他端側を前記一方の柱の近傍に残した状態で、前記第２の工程において発射された前記ボウガンの矢を回収し、前記第１の紐状体の他端側を前記一方の柱の上部に位置させ、前記第１の紐状体の一端側を前記他方の柱の上部に位置させて、前記第１の紐状体を引っ張って、前記２本の柱の上部間に前記第１の紐状体を張る第３の工程と、前記第１の紐状体の一端側又は他端側の何れかにおいて、当該第１の紐状体よりも太い第２の紐状体の一端を前記第１の紐状体に接続して、当該第１の紐状体をたぐり寄せることで、前記第２の紐状体をたぐり寄せて、前記２本の柱間に前記第２の紐状体を張る第４の工程と、前記第２の紐状体に、前記第３の工程と同様に当該第２の紐状体よりも太い第３の紐状体を接続して、当該第３の紐状体をたぐり寄せて、前記２本の柱間に前記第３の紐状体を配し、これをＮ回繰り返すことにより、最終的に所望の太さのケーブルを前記２本の柱間に配する第５の工程とを備えることを特徴とする。
【００１１】
また、本発明のケーブル敷設方法は、第３の工程において、回収された前記ボウガンの矢に接続された前記第１の紐状体の一端は、前記２本の柱の他方側からボウガンによって発射された他の第１の紐状体の一端と接続されることを特徴とする。
【００１２】
また、本発明のケーブル敷設方法は、第３の工程において、前記ボウガンの矢を回収して、当該回収地点から再度、当該ボウガンの矢を前記２本の柱の他方側における所望の地点に向けて発射することを特徴とする。
【発明の効果】
【００１３】
本発明によれば、ボウガンを利用して所望の地点まで紐状態を架線し、架線された紐状態を徐々に太くすることによって、最終的に所望の太さのケーブルを敷設できるため、樹木が繁茂した地帯のような、往来が困難な２本の柱間にケーブルを迅速かつ容易に介することが可能である。
【００１４】
本発明によれば、２本の柱間を作業者が往来する必要がないため、作業時間を大幅に短縮可能であるばかりか、密林内において、浮石による滑落や、けがを防止可能であり、さらに、スズメバチ等に遭遇する可能性を大幅に低減できるため、作業者の安全確保に繋がる。
【００１５】
また、本発明によれば、そもそも２本の柱間を往来する必要がないことから、往来部分の樹木を伐採する必要もなく、労力及び作業時間を大幅に軽減可能である。
【００１６】
また、本発明にあたって、発明者は紐状体の運搬手段として、種々の構成を想起したものである。例えば、ラジコンヘリ、水と圧縮空気により飛行するペットボトルロケット、アーチェリーや、弓の矢による運搬、投げ釣り用釣り竿を用いた運搬等、種々の試行錯誤を繰り返しながらついにボウガンを利用する知見に至ったものである。そのため、本発明によれば、ボウガンを用いて矢を発射して紐状体を運搬することから、以下の効果を生じる。
【００１７】
即ち、ボウガンは、本体に矢がセットされて固定された状態で矢を発射するものであるため、操作者のノウハウ及び経験を問わず、所望の方向及び地点に非常に容易に矢を飛ばすことが可能であり、習熟までの時間をかけずに本発明を実施可能である。
【００１８】
即ち、ボウガンは、アーチェリーや、弓と異なり、矢がボウガン本体にセットされた状態で矢を飛ばす方向をじっくり見定めて矢を発射することが可能であり、矢を引っ張って操作者の身体が緊張した状態でねらいを定める必要がないことから、非常に操作性に優れており、この点からも、矢を通過空間を介して発射するのに非常に適している。
【００１９】
また、ペットボトルロケットによって紐状体を運搬する場合は、ペットボトルロケットはその飛行方向及び到達地点を制御することが極めて困難であるが、ボウガンは、所望の方向及び地点に確実に紐状体を運搬することが可能である。
【００２０】
また、ボウガンは、矢が本体にセットした後に矢を発射するものであることから、一般的にその威力が非常に強く、矢を遠方まで発射可能であり、さらに、威力が強く、かつ、細長い矢を発射するものであることから、矢が多少、樹木の枝葉に触れてしまった場合でも、特段支障なく、矢はそのまま飛行を続けるものであり、樹木が生い茂った地域において使用するのに非常に適している。
【００２１】
そのため、樹木の枝葉に接触すると墜落してしまうラジコンヘリと異なり、本発明によれば、容易かつ確実に矢を、通過空間を介して飛行させることが可能である。また、ペットボトルロケットによっても、通過空間を介して飛行させるようなことはやはり極めて困難である。
【００２２】
また、ラジコンヘリでは、森林地帯においては、樹木の存在により、操縦者が常にラジコンヘリを目視したまま操縦を行うことができないため、事実上使用できない。
【００２３】
また、ボウガンは、矢を本体にセットするのみで、発射可能であり、急斜面や、周囲が樹木に囲まれた地点からでも、操作者分のスペースがあれば、容易に矢の発射が可能であり、本発明は密林地帯や、山間部の斜面にも非常に適している。
【００２４】
一方、例えば、投げ釣り用の取り竿を用いておもりに接続された紐状体を所望の方向に運搬する方法も考えられるが、この方法では、所望の方向及び地点に紐状体を正確に運搬するのは非常に困難であり、かつ、可能だとしても習熟までに長期を要するものであり、現実的ではない。そもそも、急斜面や、周囲が樹木に囲まれた地点においては、釣り竿を振りかぶることができないことから、この方法も現実的ではなく、この点からもボウガンを利用した本発明の優位性が明白である。
【図面の簡単な説明】
【００２５】
【図１】本発明の実施形態に係るケーブル敷設方法に使用するボウガンの構成を示す構成概略図である。
【図２】図１のボウガンを発射する状態における操作者からの視点を示す説明図である。
【図３】図１のボウガンを発射する状態を示す概念図である。
【図４】図１のボウガンを発射した後の状態を示す概念図である。
【図５】図４の状態の後に紐状体を張り上げた状態を示す概念図である。
【図６】図５の状態の後により太い紐状体を張る方法を示す概念図である。
【図７】図６の状態の後により太い紐状体を張る方法を示す概念図である。
【発明を実施するための形態】
【００２６】
以下、本発明の実施形態に係るケーブル敷設方法について図１乃至図７を参照しながら詳細に説明する。尚、本発明のケーブル敷設方法は、樹木が繁茂した地帯において、往来が困難な２本の柱間にボウガンを利用して、ケーブルを迅速かつ容易に敷設するものである。
【００２７】
［本発明の実施に必要な構成］
まず、図１を用いて、本発明の実施に必要なボウガン、ボウガンの矢、両者の間に介される紐状体について説明する。図１は、本発明の実施形態に係るケーブル敷設方法に使用するボウガンの構成を示す構成概略図である。
【００２８】
図１に示すように、本発明には、ライフルのように引き金を引いて矢を発射するタイプの弓であるボウガン（クロスボウ）を用いる。ボウガン１は、矢がボウガン本体のガイド部１ａに固定されて矢の発射される方向を明確にすることが可能であり、かつ、引き金１ｃを引くことにより、弦１ｂの弾力により、ボウガンの矢２を所望の方向及び地点に発射するものである。
【００２９】
本発明においては、ボウガン１の本体に、釣り竿に装着されるリール３が装着されている。即ち、リールは、釣り糸等の紐状体を巻き付けておく装置であり、必要に応じて紐状体を繰り出したり、巻き取ったりすることが可能であり、本発明は、ボウガン１のスコープ装着用の固定金具にそのまま釣り竿に用いるリールを装着している。
【００３０】
リール３には、紐状体５としての第１の紐状体５１が巻き付けられており、必要に応じて紐状体５を繰り出したり、巻き取ったりすることが可能となっており、第１の紐状体の一端５１ａは、ボウガンの矢２の中腹に接続されており、他端５１ｂは、リール３に接続されている。
【００３１】
ボウガンの矢２は、先端にゴムキャップ２ａが装着されて、万が一の衝突時に対する安全対策が図られている。尚、ボウガンの矢２の発射時には、発射方向に人がいないことを十分に確認して発射を行う。
【００３２】
リール３に第１の紐状体５１の他端５１ｂが結わえられる等して接続されており、かつ、ボウガンの矢２に同一端５１ａが結わえられる等して接続されていることから、ボウガンの矢２の発射が行われると、ボウガンの矢２がボウガン１本体から遠ざかれば遠ざかるほど、リール３から第１の紐状体５１が繰り出される。
【００３３】
また、第１の紐状体５１は、ボウガンの矢２の飛行に影響を与えないよう非常に細い糸状体が用いられるものであって、一例として、直径０．２ｍｍのナイロン紐が用いられ、これは釣り糸をそのまま利用可能である。
【００３４】
また、第１の紐状体５１の長さは、ボウガンの矢２を飛ばしたい地点までの距離に合致するものであり、例えば、２００ｍ離れた距離に２本の柱を建ててケーブルを敷設するような場合には、２００ｍ以上の第１の紐状体５１が必要ということとなる。
【００３５】
また、ボウガン１はその威力が大きいことから、ボウガンの矢２の初速によっては、第１の紐状体５１の一端５１ａにおいて、第１の紐状体５１が非常に細いことから切れてしまう可能性がある。
【００３６】
そのような場合は、図１に示すように、第１の紐状体５１の一端５１ａの近傍部分５ａのみは、ボウガンの矢２の初速に耐えうるより太い紐状体を配することも可能である。例えば、第１の紐状体５１の一端５１ａの近傍部分の１〜２ｍ程は直径０．５ｍｍのナイロン紐とすることが可能である。
【００３７】
尚、本発明では、リール３をボウガン１に固定した構成を説明したが、ボウガン１の操作者側に第１の紐状体５１の他端５１ｂ側が確保されていれば、ボウガン１自体にリール３が装着されていない構成や、リール３自体を用いない構成等種々の構成を採用可能である。
【００３８】
［実際のケーブル敷設方法］
次に、図２乃至図７を用いて、実際のケーブル敷設方法を各工程ごとに説明する。図２は、図１のボウガンを発射する状態における操作者からの視点を示す説明図である。図３は、図１のボウガンを発射する状態を示す概念図である。図４は、図１のボウガンを発射した後の状態を示す概念図である。図５は、図４の状態の後に紐状体を張り上げた状態を示す概念図である。図６は、図５の状態の後により太い紐状体を張る方法を示す概念図である。図７は、図６の状態の後により太い紐状体を張る方法を示す概念図である。
【００３９】
尚、以下においては、２００ｍ離れた地点にケーブル架線用の全長７ｍ程度の２本の柱１２，１３を建て、周囲が樹木１５に囲われ、柱１２と柱１３の間に往来が困難な谷１１が位置する場合における柱の上部１２ａ，１３ａ間におけるケーブル敷設を例として説明する。
【００４０】
［第１の工程］
図２及び図３に示すように、第１の工程は、ボウガンの矢２を通過させる通過空間１７を決定する工程である。
【００４１】
即ち、ボウガン１の操作者７を２本の柱の一方（柱１２）の近傍に位置させ、その地点から、ケーブルの敷設を行う方向に繁茂する樹木１５群について、ボウガンの矢２を通過させる、周囲の全部又は一部が樹木で覆われた通過空間１７を決定する。
【００４２】
例えば、操作者７は、ケーブルの敷設を行う方向に繁茂する樹木１５群について、ボウガンの矢２を通過させる、樹木の枝葉等が障害にならない通過空間１７を探し、柱１２，１３の全長を考慮して、特定の通過空間１７を決定する。
【００４３】
即ち、図２においては、２つの通過空間１７が上下に存在しているが、柱１２，１３の全長が７ｍ程度であり、その上部にケーブルを敷設するのであるから、地表から７ｍ程の通過空間１７として例えば、下方の通過空間１７を決定する。
【００４４】
［第２の工程］
図３に示すように、第２の工程は、ボウガンの矢２を発射する工程である。
【００４５】
即ち、第２の工程においては、ボウガンの矢２に第１の紐状体５１の一端５１ａが接続され、かつ、他端５１ｂが、ボウガン１の操作者７側に固定された状態でボウガン１を操作してボウガンの矢２を、通過空間１７を介して発射して、柱１３の他方側における所望の地点に到達させる。
【００４６】
ボウガンの矢２は、図３に破線で示した矢印の如き飛行経路を辿り、その後、第１の紐状体５１が、地面や、樹木の枝葉に引っ掛かって、図４のように、その飛行経路直下の樹木群に垂れ下がることとなる。尚、第１の紐状体５１は、一例として、直径０．２ｍｍ及び全長２００ｍのナイロン紐を用いる。
【００４７】
［第３の工程］
図５に示すように、第３の工程は、第１の紐状体５１を２本の柱１２及び柱１３の上部に張る工程である。
【００４８】
即ち、第１の紐状体５１の他端５１ｂ側を、柱１２の近傍に残した状態で、第２の工程において発射されたボウガンの矢２を作業者が地面や、樹木の枝葉に引っ掛かった状態から回収する。
【００４９】
そして、第１の紐状体５１の他端５１ｂ側を、作業者によって柱の上部１２ａに位置させ、また、第１の紐状体５１の一端５１ａ側も同様に作業者により、他方の柱の上部１３ａに位置させて、第１の紐状体５１を引っ張って、２本の柱の上部１２ａ，１３ａ間に第１の紐状体５１を張った状態とする。
【００５０】
この場合、ボウガンの矢２は、通過空間１７を通過して、他方の柱１３側に到達しているため、樹木の枝葉や、既設の他の電線等が障害となることなく、第１の紐状体５１を２本の柱１２，１３間に張ることが可能である。
【００５１】
尚、回収されたボウガンの矢２に接続された第１の紐状体５１の一端５１ａを、さらに、反対側の柱側から発射されたボウガンの矢２に接続された他の第１の紐状体に接続して、２本の柱間が長距離であり、一度のボウガンの発射ではボウガンの矢２が到達できない状況に対応することも可能である。
【００５２】
即ち、ボウガンの矢２に接続された第１の紐状体５１の一端５１ａについて、最初にボウガンの矢２を発射した地点とは逆の柱１３側から他に発射されたボウガンの矢に接続された他の第１の紐状体の一端を接続することにより、柱間の距離が長距離でも第１の紐状体を容易に敷設することが可能である。
【００５３】
または、ボウガンの矢２の回収地点から再度ボウガンの矢２を発射して距離を稼ぐことも可能である。即ち、ボウガンの矢２を回収し、第１の紐状体５１を最初のボウガンの発射地点から残したまま、ボウガンの矢２と第１の紐状体５１の一端５１ａとの間に、さらに第１の紐状体５１を継ぎ足して、回収地点から再度、ボウガンの矢２を柱１３の他方側における所望の地点に向けて発射することにより、必要があれば再発射を繰り返すことにより、２本の柱１２，１３間の距離が長距離であっても、第１の紐状体を容易に敷設することが可能である。
【００５４】
［第４の工程］
図６に示すように、第４の工程は、第１の紐状体５１をより直径の太い第２の紐状体５２に変更する工程である。
【００５５】
即ち、第１の紐状体５１の一端５１ａ側において、第１の紐状体５１よりも太い第２の紐状体５２の一端５２ａを第１の紐状体５１に接続する。接続方法としては、結わえたり、接着又は溶着すること等が挙げられ、たぐり寄せる場合に樹木１５の枝葉に引っ掛かりにくい接続方法が適している。そして、図６の状態で、第１の紐状体５１を他端５１ｂ側からたぐり寄せることで、第２の紐状体５２をたぐり寄せて、２本の柱１２，１３間に第２の紐状体５２を張る。
【００５６】
尚、一例として、第１の紐状体５１が、直径０．２ｍｍ及び全長２００ｍのナイロン紐であったのに対して、第２の紐状体５２は、より太い直径０．５ｍｍ及び全長２００ｍのナイロン紐を用いる。
【００５７】
また、第２の紐状体５２は、第１の紐状体５１の一端５１ａ側ではなく、他端５１ｂ側において、第１の紐状体５１よりも太い第２の紐状体５２の一端５２ａを第１の紐状体５１に接続することも可能である。その場合は反対に、第１の紐状体５１を一端５１ａ側からたぐり寄せることで、第２の紐状体５２をたぐり寄せて、２本の柱１２，１３間に第２の紐状体５２を張ることとなる。この場合は、その後の工程も反対側から紐状体５を引っ張ることとなる（たぐり寄せることとなる）。
【００５８】
［第５の工程］
図７に示すように、第５の工程は、第２の紐状体５２を、さらにより直径の太い第３の紐状体５３に変更し、その作業をＮ回繰り返す工程である。
【００５９】
即ち、第２の紐状体５２の他端５２ｂ側に、第３の工程と同様に第２の紐状体５２よりも太い第３の紐状体５３の一端５３ａを接続して、第２の紐状体５２を、第２の紐状体５２の一端５２ａ側からたぐり寄せることで、第３の紐状体５３をたぐり寄せる。紐状体５同士の接続方法としては、結わえたり、接着又は溶着すること等が挙げられ、たぐり寄せる場合に樹木１５の枝葉に引っ掛かりにくい接続方法が適している。
【００６０】
これにより、２本の柱１２，１３間に第３の紐状体５３を配する。これをＮ回繰り返して、徐々に紐状体５の太さを太くして、紐状体５の引っ張り強度を上げていき、最終的に所望の太さのケーブルを紐状体５に接続して、そのケーブルをやはりたぐり寄せることで所望のケーブルを２本の柱１２，１３間に配することができる。
【００６１】
尚、一例として、第１の紐状体５１が、直径０．２ｍｍ及び全長２００ｍのナイロン紐、第２の紐状体５２は、より太い直径０．５ｍｍ及び全長２００ｍのナイロン紐であったのに対して、第３の紐状体５３は、直径５ｍｍ及び全長２００ｍのナイロンロープであり、第４の紐状体（図示せず）は、直径９〜１２ｍｍ及び全長２００ｍのケーブル延線用ロープ（樹脂製のケーブル牽引用ロープ）であり、その後、最終的に、例えば、直径１５〜２５ｍｍの電線といった所望の太さの全長２００ｍのケーブルを取り付けることが可能である。
【００６２】
また、所望のケーブルをケーブル延線用ロープによって牽引する場面においては、ケーブルのねじれを防止するべく、より返し金物を介して、ケーブルと、ケーブル延線用ロープとを接続することも可能である。所望のケーブルとケーブル延線用ロープとを接続する場合、その接続方法としては、結わえたり、接着又は溶着すること等が挙げられ、たぐり寄せる場合に樹木１５の枝葉に引っ掛かりにくい接続方法が適しており、これはより返し金具を介する場合でも同様である。
【００６３】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００６４】
１        ボウガン
１ａ      ガイド部
１ｂ      弦
１ｃ      引き金
２        ボウガンの矢
２ａ      ゴムキャップ
３        リール
５        紐状体
５ａ      一端の近傍部分
７        操作者
１１      谷
１２      柱
１２ａ    柱の上部
１３      柱
１３ａ    柱の上部
１５      樹木
１７      通過空間
５１      第１の紐状体
５１ａ    一端
５１ｂ    他端
５２      第２の紐状体
５２ａ    一端
５２ｂ    他端
５３      第３の紐状体
５３ａ    一端
【図１】
2014200156.tif 000003
【図２】
2014200156.tif 000004
【図３】
2014200156.tif 000005
【図４】
2014200156.tif 000006
【図５】
2014200156.tif 000007
【図６】
2014200156.tif 000008
【図７】
2014200156.tif 000009